(57)【特許請求の範囲】
【請求項１】
非常用設備を積載する車両であって、
前記車両が複数並列に配置され、かつ、前記各車両は、前記非常用設備が積載されている車体と、該車体に一方の端部が支持されている複数の支柱と、該複数の支柱のそれぞれの他方の端部に接続されている複数の電磁石とを備え、
前記車体に、前記複数の電磁石への電力供給源としてのバッテリーが搭載され、かつ、前記複数の支柱は、通常時には前記車体内に収納されるか、或は前記車体に支持部が折り曲げ自在に形成されていると共に、通常時には前記支持部が前記車体と平行なるように折り曲げられ、
地震を検知したら、それが予め決められた震度以上であれば、前記バッテリーがＯＮして前記複数の電磁石を励磁することで、隣接する前記車体同士が複数個所で前記複数の電磁石を介して連結されることを特徴とする非常用設備を積載する車両。
【発明の詳細な説明】
【技術分野】
【０００１】
本発明は非常用設備を積載する車両に係り、特に、地震等の自然災害が発生した場合に、目的地まで非常用設備を積載して搬送し使用するものに好適な非常用設備を積載する車両に関する。
【背景技術】
【０００２】
通常、原子力発電所などには、地震或いは火災などにより発電所に異常が発生した際に使用する非常用設備が配備されている。非常用設備は、トレーラ等の車両に予め積載された状態で格納されている。そして、非常時には、トレーラに積載された非常用設備を移動させ、所定の場所で非常用設備が使用される。
【０００３】
このとき、例えば、大きな地震が発生した後で非常用設備を使用する状況では、非常用設備を使用中に余震が発生する可能性が高い。そのため、非常用設備を構成する機器類が傾いたり、転倒することを防止する必要がある。
【０００４】
従来、車体を安定化させる装置として、特許文献１に記載されているアウトリガーが知られている。
【０００５】
この特許文献１に記載されているアウトリガーは、非常用設備を稼働している間に地震が発生したとしても、トレーラに積載された非常用設備の安定性を確実に確保するために、非常用設備を積載したトレーラの重心よりも上方でトレーラに接続され、トレーラのタイヤよりも左右外方で地面に接するようにしたものである。
【先行技術文献】
【特許文献】
【０００６】
【特許文献１】特開２０１４−５１１６６号公報
【発明の概要】
【発明が解決しようとする課題】
【０００７】
しかしながら、特許文献１に記載されているアウトリガーは、車体（トレーラ）の安全性を向上させるために、アウトリガーの数を多くしたり、剛性を高めるためにアウトリガーを太くしたりする必要があるため設備が大きくなり、この結果、緊急時に避難する際に初動が遅れる可能性が大きい。
【０００８】
本発明は上述の点に鑑みなされたもので、その目的とするところは、非常用設備を稼働している間に地震等が発生したとしても車体が安定化できることは勿論、緊急時には迅速な発進を可能にする非常用設備を積載する車両を提供することにある。
【課題を解決するための手段】
【０００９】
本発明の非常用設備を積載する車両は、上記目的を達成するために、非常用設備を積載する車両であって、前記車両が複数並列に配置され、かつ、前記各車両は、前記非常用設備が積載されている車体と、該車体に一方の端部が支持されている複数の支柱と、該複数の支柱のそれぞれの他方の端部に接続されている複数の電磁石とを備え、前記車体に、前記複数の電磁石への電力供給源としてのバッテリーが搭載され、かつ、前記複数の支柱は、通常時には前記車体内に収納されるか、或は前記車体に支持部が折り曲げ自在に形成されていると共に、通常時には前記支持部が前記車体と平行なるように折り曲げられ、地震を検知したら、それが予め決められた震度以上であれば、前記バッテリーがＯＮして前記複数の電磁石を励磁することで、隣接する前記車体同士が複数個所で前記複数の電磁石を介して連結されることを特徴とする。
【発明の効果】
【００１０】
本発明によれば、非常用設備を稼働している間に地震等が発生したとしても車体が安定化できることは勿論、緊急時には迅速な発進を可能にすることができる。
【図面の簡単な説明】
【００１１】
【図１】本発明の非常用設備を積載する車両の実施例１であり、隣接する車両同士が連結している状態を示す正面図である。
【図２】図１の平面図である。
【発明を実施するための形態】
【００１２】
以下、図示した実施例に基づいて本発明の非常用設備を積載する車両を説明する。なお、各図において、同一構成部品には同符号を使用する。
【実施例１】
【００１３】
図１及び図２に本発明の非常用設備を積載する車両の実施例１を示す。
【００１４】
該図に示す如く、本実施例の非常用設備（図示せず）を積載する車両（例えば、トレーラ或いは消防自動車等）１及び２は、車両１及び２が複数並列に配置され、かつ、各車両１及び２は、非常用設備が積載されている車体３及び４と、この車体３及び４に一方の端部が支持されている支柱５ａ、５ｂ及び６ａ、６ｂと、この支柱５ａ、５ｂ及び６ａ、６ｂの他方の端部に接続されている電磁石７ａ、７ｂ及び８ａ、８ｂとを備え、地震等の非常時には、隣接する車体３及び４同士が電磁石７ａ、７ｂ及び８ａ、８ｂを介して連結されるものである。
【００１５】
また、本実施例では、図２に示す如く、各車両１及び２が、支柱５ａ、５ｂ及び６ａ、６ｂと電磁石７ａ、７ｂ及び８ａ、８ｂを複数（本実施例では２個）備え、地震等の非常時には、隣接する車体３及び４同士が複数箇所（本実施例では２箇所）で電磁石７ａ、７ｂ及び８ａ、８ｂを介して連結されている。
【００１６】
一方、支柱５ａ、５ｂ及び６ａ、６ｂは、通常時には車体３及び４内に収納されるか、或いは車体３及び４に支持部（図示せず）が折り曲げ自在に形成されていると共に、通常時には支持部が車体３及び４と平行なるように折り曲げられることによって、邪魔にならないようになっている。
【００１７】
また、車体３及び４には、電磁石７ａ、７ｂ及び８ａ、８ｂへの電力供給源としてのバッテリー９ａ、９ｂが搭載されている。なお、符号１０は、車輪である。
【００１８】
そして、本実施例では、地震を検知したら、それが予め決められた震度以上（震度６以上）であれば、電磁石７ａ、７ｂ及び８ａ、８ｂの電源（バッテリー９ａ、９ｂ或いは系統電源）がＯＮし、電磁石７ａ、７ｂ及び８ａ、８ｂを励磁することで、隣接する車体３及び４同士が電磁石７ａ、７ｂ及び８ａ、８ｂを介して連結される。
【００１９】
なお、本実施例での非常用設備とは、例えば、火力、原子力発電所などにおいて、過熱したプラント機器を冷却するための冷却設備であり、熱交換器と冷却水ポンプとを備えている。
【００２０】
熱交換器は、プラント内の冷却対象となる過熱した機器を冷却する第１冷却水と、海水や貯水タンク内に貯蔵された水などの第２冷却水との間で熱交換させ、第１冷却水を第２冷却水によって冷却する冷却水冷却器である。
【００２１】
一方、冷却水ポンプは、熱交換器で冷却された第１冷却水をプラント内に送給し、冷却対象機器と熱交換器との間で第１冷却水を循環させる。第２冷却水と熱交換されることで冷却された第１冷却水がプラント内に送給されると、冷却対象機器と第１冷却水とが熱交換することで、冷却対象機器が冷却される。
【００２２】
この非常用設備は、車両（例えば、トレーラ）１及び２の車体３及び４に予め積載されており、非常用設備を稼働させる必要性がない通常時は、所定の格納場所において保管されている。大きな地震（震度６以上）が発生するなどして、非常用設備を稼働させる必要が生じた非常時には、車両（例えば、トレーラ）１及び２で、車体３及び４に予め積載されている非常用設備を稼働させる場所まで牽引するものである。
【００２３】
このような本実施例とすることにより、車両１及び２の安定性を確保しつつ、緊急時に避難する際に、電磁石７ａ、７ｂ及び８ａ、８ｂ同士の開放、撤去に要する時間短縮させ、迅速な避難を可能にすることができる。特に、従来のアウトリガーの有する連結された車体を安定化させる効果だけでなく、緊急時には電磁石７ａ、７ｂ及び８ａ、８ｂの磁力の発生を停止することで迅速な発進を可能にすることができる。
【００２４】
また、図２に示す如く、各車両１及び２が、支柱５ａ、５ｂ及び６ａ、６ｂと電磁石７ａ、７ｂ及び８ａ、８ｂを複数（本実施例では２個）備え、地震等の非常時には、隣接する車体３及び４同士が複数箇所（本実施例では２箇所）で電磁石７ａ、７ｂ及び８ａ、８ｂを介して連結されているので、地震に対してより確実な車両１及び２の安定性を確保できる。
【００２５】
更に、バッテリー９ａ、９ｂを電磁石７ａ、７ｂ及び８ａ、８ｂへの電力供給源として用いることで、外部からの電力供給を必要とせず、車両１及び２への機器接続を低減でき、車両１及び２への機器接続が低減されることで、車両１及び２の迅速な発進を可能にすることができる。
【００２６】
なお、本発明は上記した実施例に限定されるものではなく、様々な変形例が含まれる。上記した実施例は本発明を分かりやすく説明したものであり、必ずしも説明した全ての構成を備えるものに限定されるものではない。また、ある実施例の構成の一部を他の実施例の構成に置き換えることも可能であり、ある実施例の構成に他の実施例の構成を加えることも可能である。また、各実施例の構成の一部について、他の構成の追加・削除・置換をすることも可能である。
【符号の説明】
【００２７】
１、２…車両、３、４…車体、５ａ、５ｂ、６ａ、６ｂ…支柱、７ａ、７ｂ、８ａ、８ｂ…電磁石、９ａ、９ｂ…バッテリー、１０…車輪。
【図１】
0006345581.tif 000002
【図２】
0006345581.tif 000003